(57)【要約】      （修正有）【課題】路面や路面突起物の損傷させることなく、安定して安全に走行できるスケートボード装置の提供。【解決手段】片足を載せる２個のボード本体１１Ｆ，１１Ｒと、これらボード本体１１Ｆ，１１Ｒに、前傾する回動軸周りに回動自在に支持された複数の前傾キャスタ１２Ｆ，１２Ｒを具備したスケートボード装置であって、ボード本体１１Ｆ，１１Ｒにそれぞれ取り付けられて前部または／および後部に連結部を有するアタッチメント４１Ｆ，４１Ｒと、アタッチメント４１Ｆ，４１Ｒの連結部３１に着脱自在で、かつ前傾キャスタ１２Ｆ，１２Ｒが走行する路面より上位で連結する連結具２０とを有して、連結具２０により２個のボード本体を一定間隔を保持した状態で連結し、連結部２０を折り曲げ自在とした。【選択図】図２
2014083166.tif 000002
【特許請求の範囲】
【請求項１】
片足を載せる２個のボード本体と、これらボード本体に、前傾する回動軸周りに回動自在に支持された複数の前傾キャスタと、を具備したスケートボード装置であって、
ボード本体にそれぞれ取り付けられて前部または／および後部に連結部を有するアタッチメントと、当該アタッチメントの連結部に着脱自在で、かつ前記前傾キャスタが走行する路面より上位で連結する連結具とを有して、当該連結具により２個のボード本体を一定間隔を保持した状態で連結し、
前記連結部を折り曲げ自在とした
ことを特徴とするスケートボード装置。
【請求項２】
前後方向に直列に配置される少なくとも４個のボード本体と、これらボード本体に、前傾する回動軸周りに回動自在に支持された複数の前傾キャスタと、を具備したスケートボード装置であって、
ボード本体にそれぞれ取り付けられて前部または／および後部に連結部を有するアタッチメントと、当該アタッチメントの連結部に着脱自在で、かつ前記前傾キャスタが走行する路面より上位で連結する連結具とを有し、当該連結具により少なくとも４個のボード本体を一定間隔を保持した状態で直列に連結し、
前記アタッチメントと前記連結具を折り曲げ自在とし、
前後に隣接配置される２個のボード本体に、それぞれ遊戯者の足を載せる
ことを特徴とするスケートボード装置。
【請求項３】
連結部の折り曲げ中心を、少なくともボード本体の足載せ面に垂直な軸心周りと、ボード本体の連結方向に平行な軸心周りとした
ことを特徴とする請求項１または２のいずれかに記載のスケートボード装置。
【請求項４】
連結部の折り曲げ中心を、少なくともボード本体の足載せ面に垂直な軸心周りとし、
連結具に、連結具の長さ方向の軸心周りに回動自在に連結する回動機構を設けた
ことを特徴とする請求項１または２記載のスケートボード装置。
【発明の詳細な説明】
【技術分野】
【０００１】
本発明は、スケートボード装置に関する。
【背景技術】
【０００２】
たとえば特許文献１には、前後に車輪を有するフロントボードと、前後に車輪を有するリアボードとを、ワイヤロープやチェーンなどを介して接近自在に連結したものが提案されている。
【先行技術文献】
【特許文献】
【０００３】
【特許文献１】特許４８７２１１５号
【発明の概要】
【発明が解決しようとする課題】
【０００４】
しかしながら、上記特許文献では、チェーンを含む索体によりフロントボードとリアボードとを連結しているため、索体が緩んだ時に、路面の突起物に引っかかって転倒したり、あるいは路面の突起物を損傷を与えたり、路面を削り取って傷を付ける恐れがあった。
【０００５】
本発明は上記問題点を解決して、路面や路面突起物の損傷させることなく、安定して安全に走行できるスケートボード装置を提供することを目的とする。
【課題を解決するための手段】
【０００６】
請求項１記載の発明は、
片足を載せる２個のボード本体と、これらボード本体に、前傾する回動軸周りに回動自在に支持された複数の前傾キャスタと、を具備したスケートボード装置であって、
ボード本体にそれぞれ取り付けられて前部または／および後部に連結部を有するアタッチメントと、当該アタッチメントの連結部に着脱自在で、かつ前記前傾キャスタが走行する路面より上位で連結する連結具とを有して、当該連結具により２個のボード本体を一定間隔を保持した状態で連結し、
前記連結部を折り曲げ自在としたことを特徴とする。
【０００７】
請求項２記載の発明は、
前後方向に直列に配置される少なくとも４個のボード本体と、これらボード本体に、前傾する回動軸周りに回動自在に支持された複数の前傾キャスタと、を具備したスケートボード装置であって、
ボード本体にそれぞれ取り付けられて前部または／および後部に連結部を有するアタッチメントと、当該アタッチメントの連結部に着脱自在で、かつ前記前傾キャスタが走行する路面より上位で連結する連結具とを有し、当該連結具により少なくとも４個のボード本体を一定間隔を保持した状態で直列に連結し、
前記アタッチメントと前記連結具を折り曲げ自在とし、
前後に隣接配置される２個のボード本体に、それぞれ遊戯者の足を載せることを特徴とするものである。
【０００８】
請求項３記載の発明は、請求項１または２の構成において、
連結部の折り曲げ中心を、少なくともボード本体の足載せ面に垂直な軸心周りと、ボード本体の連結方向に平行な軸心周りとしたことを特徴とする。
【０００９】
請求項４記載の発明は、請求項１または２の構成において、
連結部の折り曲げ中心を、少なくともボード本体の足載せ面に垂直な軸心周りとし、
連結具に、連結具の長さ方向の軸心周りに回動自在に連結する回動機構を設けたことを特徴とする。
【発明の効果】
【００１０】
請求項１記載の発明によれば、ボード本体単独でそれぞれ足を載せて走行することができる。ボード本体が不安定で熟練を要する。本発明では、前後のボード本体をアタッチメントを介して連結具で連結することにより、ボード本体を安定した状態で乗車できる。すなわち、ボード本体間隔を一定に保持した状態で、ぼーど本体に載せた足を走行方向の両側方に交互に踏み出し、前傾キャスタの作用で、走行することができる。したがって、連結具が路面に接触することがないので、路面を損傷したり、路面の突起物に接触して転倒するなどの事故を未然に防止することができる。
【００１１】
請求項２記載の発明によれば、ボード本体を２個１組として、複数組を直列に連結することにより、複数の遊戯者を走行することができ、遊戯範囲を拡張することができる。
請求項３記載の発明によれば、ボード本体の変位と姿勢とを任意に制御することができ、安定したスムーズな乗り心地を提供することができる。
【００１２】
請求項４記載の発明によれば、ボード本体の変位と姿勢とを任意に制御することができ、安定したスムーズな乗り心地を提供することができる。
【図面の簡単な説明】
【００１３】
【図１】本発明に係るスケートボード装置の実施例１を示す分解斜視図である。
【図２】スケートボード装置の斜視図である。
【図３】スケートボード装置の平面図である。
【図４】スケートボード装置の側面図である。
【図５】スケートボード装置の底面図である。
【図６】(ａ)〜（ｄ）はアタッチメントを示す平面図で、(ａ)は後部に連結部を有する第１アタッチメント、（ｂ）は前部に連結部を有する第２アタッチメント、（ｃ）は第１アタッチメントと第２アタッチメントとを重ねた第３アタッチメント、（ｄ）は前部および後部に連結部を有する第４アタッチメントを示す。
【図７】(ａ)〜（ｃ）は連結部を示し、(ａ)は縦断面図、（ｂ）は横断面図、（ｃ）は平面視の断面図である。
【図８】(ａ)〜（ｃ）は走行動作を示す平面図で、(ａ)は初期動作、（ｂ）は第１動作図、（ｃ）は第２動作を示す。
【図９】本発明に係るスケートボード装置の実施例２を示す連結部の縦断面図である。
【図１０】（ａ）および（ｂ）は実施例３を示し、（ａ）は側面部分断面図、（ｂ）は連結具の拡大図である。
【図１１】本発明に係るスケートボード装置の実施例４を示す斜視図である。
【発明を実施するための形態】
【００１４】
［実施例１］
以下、本発明に係るスケートボード装置の実施例１を図１〜図８に基づいて説明する。
このスケートボード装置は、図１および図２に示すように、左右の足をそれぞれ載せる同一構造の前ボード本体１１Ｆと後ボード本体１１Ｒとを具備し、これら前後のボード本体１１Ｆ,１１Ｒに、前傾する回動軸心Ｏ１，Ｏ２を中心に回動自在に支持された前部の前傾キャスタ１２Ｆおよび後部の前傾キャスタ１２Ｒがそれぞれ設けられている。２０は前後のボード本体１１Ｆ,１１Ｒを連結する連結具で、この連結具２０を取り付けるための第１，第２アタッチメント４１Ｆ，４１Ｒが、前後のボード本体１１Ｆ,１１Ｒにそれぞれ取り付けられている。そして、第１，第２アタッチメント４１Ｆ，４１Ｒに設けられた連結部３１に、前記連結部３１，３１がそれぞれ着脱自在で、かつ折り曲げ自在に連結されている。
【００１５】
以下、スケートボード装置の詳細を説明する。
（ボード本体）
図３〜図５に示すように、前後のボード本体１１Ｆ,１１Ｒは、所定の厚みを有し片足を載置可能な大きさの厚板状で、平面視がたとえばハート形に形成され、上面に足載せ面１１ａが形成されている。そして、ボード本体１１Ｆ,１１Ｒの前部となる尖り部側が,所定角だけ前部下方に折り曲げられた傾斜部１１ｂが形成されている。また、ボード本体１１Ｆ,１１Ｒの底部で左右側部に、ボード本体１１Ｆ,１１Ｒの左右の傾動限となる倒れ止め部１４が下方に突出され、摩耗を防止する保護カバー１４ａが交換可能に取り付けられている。
【００１６】
ボード本体１１Ｆ,１１Ｒで、平面視により視認できる尖り部（傾斜部１１ｂ）と凹状部とを結ぶ軸線ＳＬ上の前後位置に、同一構造の前部の前傾キャスタ１２Ｆと後部の前傾キャスタ１２Ｒがそれぞれ設けられている。すなわち、前部の前傾キャスタ１２Ｆは、ボード本体１１Ｆ,１１Ｒの傾斜部１１ｂに垂直に貫設された軸受部に、前傾姿勢（α°）の回動軸１５Ｆが回動軸心Ｏ１周りに回転自在に支持され、回動軸１５Ｆから後方の伸びるフォーク部１６Ｆに、前部ローラ１７Ｆが水平軸心周りに回転自在に回転自在に支持されている。ここで、傾斜部１１ｂに前傾キャスタ１２Ｆを垂設することで、ボード本体１１Ｆ,１１Ｒの材料の削減や組付け加工の容易化を図っている。
【００１７】
また図４に示すように、ボード本体１１Ｆ,１１Ｒの底面に突設された前傾状のローラ取付部１８が形成されており、後部の前傾キャスタ１２Ｒは、ローラ取付部１８に垂設された軸受部に、前傾姿勢（α°）の回動軸１５Ｒが回動軸心Ｏ２周りに回転自在に支持され、回動軸１５Ｒから後方の伸びるフォーク部１６Ｒに、後部ローラ１７Ｒが水平軸心周りに回転自在に回転自在に支持されている。そして、これら前後部の前傾キャスタ１２Ｆ，２１Ｒにおいて、これら回動軸１５Ｆ，１５Ｒから前部、後部ローラ１７Ｆ，１７Ｒの回転軸心（水平軸心）までの偏心距離Ｌがそれぞれ形成されている。
【００１８】
ところで、上記構成において、ボード本体１１Ｆ,１１Ｒに、前後方向に対して横向きに載せた足を、左右（足に対しては前後）に交互に押し出すことにより、前傾キャスタ１２Ｆ，１２Ｒが前傾する回動軸心周りに回動されて前方への推進力が発生し、前進することができる。これは、ボード本体１１Ｆ,１１Ｒをそれぞれ単体で使用しても乗用使用することができる。しかしながら、このような単体の乗車方法は、不安定感であり、十分に熟練を必要とする。また片方の足がボード本体１１Ｆ,１１Ｒから一旦離れてしまうと、遊戯者から離れて逃走し、周辺の人や設置物に危害を及ぼすおそれもある。
【００１９】
これを解決するために、本発明では、ボード本体１１Ｆ,１１Ｒにアタッチメント４１Ｆ，４１Ｒを取り付け、これらアタッチメント４１Ｆ，４１Ｒに連結部３１，３１を介して連結具２０を折り曲げ自在で、かつ着脱自在に連結し、前後ボード本体１１Ｆ,１１Ｒを一定間隔をあけて前後位置に一体化している。
【００２０】
（アタッチメント）
前ボード本体１１Ｆに取り付けられる第１アタッチメント４１Ｆは、図６（ａ）に示すように、後部の前傾キャスタ１２Ｆ，１２Ｒとの干渉を避けるために、互いに平行な板状の取付辺部４１ａと、左右の取付辺部４１ａの後端部間を連結した板状の連結辺部４１ｂからなる底面視で略Ｕ字型に形成され、連結辺部４１ｂの中央部に、連結部３１を構成する筒状のボス部４２が設けられている。そして、複数のビスにより、取付辺部４１ａが前ボード本体１１Ｆの底面に取り付けられる。
【００２１】
後部のボード本体１１Ｒに取り付けられる第２アタッチメント４１Ｒは、図６（ｂ）に示すように、前部の前傾キャスタ１２Ｆ，２１Ｒとの干渉を避けるために、後方ほど接近する一対の取付辺部４１ｃにより底面視で略Ｖの字型に形成され、連結端に、連結部３１を構成する筒状のボス部４２が設けられている。そして、複数のビスにより取付辺部４１ｃが後ボード本体１１Ｒの底面に取り付けられる。
【００２２】
図６（ｃ）に示すものは、ボード本体１１Ｆ，１１Ｒに２つの第１,第２アタッチメント４１Ｆ，４１Ｒを重ねて取り付けた第３アタッチメント４１Ａで、連結部３１，３１（ボス部４２，４２）を前後に設ける時に使用される。
【００２３】
図６（ｄ）に示すように、第１,第２アタッチメント４１Ｆ，４１Ｒを重ねて左右の取付辺部４１ａと取付辺部４１ｃとを一体化した環状部３１ｄに形成して、前傾キャスタ１２Ｆ，１２Ｒとの干渉を回避した第４アタッチメント４１Ｂで、連結部３１，３１（ボス部４２，４２）が前後に設けられている。
【００２４】
なお、この第３，第４アタッチメント４１Ａ，４１Ｂは、後述する実施例４に使用するもので、前後に連結具２０を取り付けるためのものである。
（連結具および連結部）
連結具２０は、遊戯者の身体に対応して、所定の長さに形成されたたとえば板状、円形断面や多角形断面のロッド状に形成されて、両端部に連結治具２１が取り付けられている。これら連結治具２１は、ボス部４２に上方から装着、離脱可能で、この連結治具２１とボス部４２とで連結部３１が構成される。
【００２５】
この連結部３１は、図７に示すように、第１の折り曲げ中心Ｆ１を、ボード本体１１Ｆ，１１Ｒの足載せ面１１ａに垂直な軸心とし、第２の折り曲げ中心Ｆ２を、連結具２０の長さ方向（ボード本体の連結方向）に沿う軸心としたものである。
【００２６】
すなわち、ボス部４２は、下面が円形に開口され、上面が、長径軸が軸線ＳＬと直交する幅方向（水平方向）に沿う長円形に開口された正面視断面が扇形断面の支持穴３３が形成されている。そしてこの支持穴３３は、第１の折り曲げ中心Ｆ１に沿って形成されるとともに、正面視断面が第２の折り曲げ中心Ｆ２を中心として広がる扇形型に形成される。
【００２７】
連結治具２１は、円形断面の連結筒２２が貫通固定され、この連結筒２２の下端部に、支持穴３３の周囲底面に係止される複数の係止爪２３が出退自在に突設されている。連結筒２２には、逆円錐形のカム部２５ａが形成された操作軸２４が昇降自在に嵌合されており、連結筒２２に内装されたコイルばね２５により操作軸２４が付勢された上降限で、カム部２５ａの大径部が係止爪２３の後退を規制し、操作軸２４がコイルばね２５に抗して下方に押し出された時に、カム部２５ａの小径部により、係止爪２３の後退を許容するように構成されている。なお、係止爪３４を後退側に付勢する拘束用部材、たとえば板ばね２３ａなどを設けてもよいし、手動で押し込むこともできる。
【００２８】
したがって、連結治具２１をボス部４２に装着する場合は、操作軸２４を下方に押し込んで係止爪２３を後退させた状態で、連結筒２２を支持穴３３に上方から嵌め込む。操作軸２４を開放して、係止爪２３を突出させることにより、支持穴３３に操作軸２４を抜け止めする。これにより、連結具２０を、第１の折り曲げ中心Ｆ１周りに所定範囲で回動自在に支持し、さらに第２の折り曲げ中心Ｆ２周りに所定範囲で回動させることができる。
【００２９】
（作用および実施例の効果）
上記スケートボード装置の遊戯方法を、図８を参照して説明する。
２つのボード本体１１Ｆ，１１Ｒを連結具２０により連結し、走行方向に沿って前後のボード本体１１Ｆ，１１Ｒを配置し、図８（ａ）に示すように、遊戯者は走行方向に対して側方に向き、たとえば左足を前のボード本体１１Ｆに、右足を後のボード本体１１Ｒに載せる。さらに図８（ｂ）に示すように、遊戯者が左足を後方（走行方向の左側）に踏み出すとともに、右足（走行方向の右側）を前方に踏み出す。ついて図８（ｃ）に示すように、遊戯者が左足を前方（左側）に踏み出すとともに、右足を後方に踏み出し、これを繰り返すことにより、ボード本体１１Ｆ，１１Ｒにそれぞれ設けられた前傾キャスタ１２Ｆ，１２Ｒの作用で、２つのボード本体１１Ｆ，１１Ｒを前方に推進させることができる。
【００３０】
（実施例１の効果）
上記実施例１によれば、ボード本体１１Ｆ，１１Ｒを連結しないで、単独でそれぞれ足を載せて走行することができるが、この操作はボード本体１１Ｆ，１１Ｒが任意に動くために、熟練を要する。しかし、本発明では、ボード本体１１Ｆ，１１Ｒを連結具２０により連結して、ボード本体１１Ｆ，１１Ｒの距離が一定な安定した状態で乗車できるため、容易にボード本体に乗車できてスムーズに走行させることができる。したがって、連結具２０の着脱によりスケートボード装置の遊戯範囲を拡張することができる。また、連結具２０が路面に接触することがないので、路面が損傷したり、路面の突起物に接触して転倒するなどの事故を未然に防止することができる。
【００３１】
［実施例２］
実施例１と異なる構造の連結部５１を有するスケートボード装置である。
図９は、連結部５１の変形例で、連結治具５２は、軸部５３ａをボス部５２に着脱自在で、かつボス部５２に軸部５３ａを、ボード本体１１Ｆ，１１Ｒの足載せ面１１ａに垂直な第１の折り曲げ中心Ｆ１のみ回動自在に連結するものである。
【００３２】
すなわち、連結治具５２は、連結具２０の端板２０ａに突設されて、円形断面のボス部５２に上方から装着、離脱可能な軸部５３ａと、軸部５３ａを連結具２０の端部板２０ａの穴部に装着固定するナット部５３ｂと、軸部５３ａに形成された係止穴から一部が突出可能なストッパボール５３ｃと、軸部５３ａおよびナット部５３ｂの軸穴に出退自在に嵌合されてストッパボール５３ｃを出退可能な操作ボタン５３ｄと、操作ボタン５３ｄを、ストッパボール５３ｃの後退を規制する上限位置まで押し上げる付勢ばね５３ｅとを具備している。そして、操作ボタン５３ｄの内装部分には、上限位置でストッパボール５３ｃの後退を規制する規制用凸部５３ｇと、押し下げ位置でストッパボール５３ｃの後退を許容する後退用凹部５３ｆが形成されている。一方、ボス部４２の内周面には、ストッパボール５３ｃを突出部分を収容する係止溝４２ａが全周にわたって形成されている。
【００３３】
したがって、操作ボタン５３ｄを押し下げて、ボス部４２に上方から軸部３３ａを嵌合し、操作ボタン３３ｄを開放することで、ボス部４２の内面に周方向に形成された係止溝４２ａに、ストッパボール３３ｃを嵌合させて連結治具２１を抜け止めするとともに、軸部３３ａの軸心、すなわち第１の折り曲げ中心Ｆ１周りに連結具２０を折り曲げることができる。
【００３４】
また、上記連結具２０と端板２０ａの間に、所定範囲であらゆる方向の回動を許容する球面継手５５が介在されている。連結具２０側に球面部５５ａが設けられ、連結部５１側に球面受け部５５ｂが設けられている。球面部５５ａと球面受け部５５ｂは、互いに逆の位置に取り付けられていてもよい。
【００３５】
上記実施例２によれば、連結部５１により第１の折り曲げ中心Ｆ１周りの回動が許容され、球面継手５５により、第３の折り曲げ中心Ｆ３を中心として、上下左右方向の回動が所定範囲で許容させることができる。これにより、前後のボード本体１１Ｆ，１１Ｒの距離を保持しつつ、それぞれ位置を変位させ、姿勢を変更することができる。これにより、スムーズな走行が可能となる。
【００３６】
［実施例３］
実施例３は、実施例２の第１の折り曲げ中心Ｆ１周りに連結具２０を折り曲げる連結部５１と、連結具２０に介装されて第４の回動軸心（折り曲げ中心）Ｆ４周りに回動可能な回動機構６１とを組み合わせたもので、図１０を参照して説明する。なお、実施例１および２と同一部材には同一符号を付して説明を省略する。
【００３７】
すなわち、回動機構６１は、連結具２０を筒状または柱状に形成し、前後方向の一方の連結端に、内周面に全周に係止溝６２ａを形成したガイド筒部６２を設け、他方の連結端に、ガイド筒部６２に内筒部６３を連結具２０の軸心（第２の折り曲げ中心Ｆ２）周りに回動自在に嵌合したもので、内筒部６３に、ばねにより突出方向に付勢されて係止溝６２ａに嵌合される複数の係止ボール６３ａが設けられている。
【００３８】
上記構成によれば、連結部５１における第１の折り曲げ中心Ｆ１周りの回動と、回動機構６１による第２の折り曲げ中心Ｆ２周りによる回動により、前後のボード本体１１Ｆ，１１Ｒの距離を保持しつつ、それぞれ位置を変位させ、姿勢を変更することができる。したがって、スムーズな走行が可能となる。
【００３９】
［実施例４］
実施例４は、実施例１〜３の２つのボード本体１１Ｆ，１１Ｒを複数組、直列に連結したものである。図１１を参照して説明する。なお、実施例１〜３と同一部材には同一符号を付して説明を省略する。
【００４０】
すなわち、前後に連結部３１が必要な中間位置のボード本体１１Ｆ，１１Ｒに、第３アタッチメント４１Ａまたは第４アタッチメント４１Ｂが取り付けられ、連結具２０により、ボード本体１１Ｆ，１１Ｒが複数組、直列に連結される。
【００４１】
上記実施例４により、複数の遊戯者を載せ、足の動きを同調させることにより、多連結の複数組のスケートボード装置をスムーズに推進させることができ、遊戯幅を拡張することができる。
【符号の説明】
【００４２】
ＳＬ    軸線
Ｏ１，Ｏ２  キャスタの回動軸心
Ｆ１    第１の折り曲げ中心
Ｆ２    第２の折り曲げ中心
Ｆ３    第３の折り曲げ中心
Ｆ４    第４の折り曲げ中心
１１Ｆ  前ボード本体
１１Ｒ  後ボード本体
１２Ｆ，１２Ｒ  前部前傾キャスタ、後部前傾キャスタ
１４    倒れ止め部
１５Ｆ，１５Ｒ    回動軸
２０    連結具
２１    連結治具
３１    連結部
３３    支持穴
４１Ｆ    第１アタッチメント
４１Ｒ    第２アタッチメント
４１Ａ    第３アタッチメント
４１Ｂ    第４アタッチメント
４２    ボス部
５１    連結部
５２    連結治具
５３ａ  軸部
５５    球面継手
６１    回動機構
６２    ガイド筒部
６２ａ  係止溝
６３    内筒部
６３ａ  係止ボール
【図１】
2014083166.tif 000003
【図２】
2014083166.tif 000004
【図３】
2014083166.tif 000005
【図４】
2014083166.tif 000006
【図５】
2014083166.tif 000007
【図６】
2014083166.tif 000008
【図７】
2014083166.tif 000009
【図８】
2014083166.tif 000010
【図９】
2014083166.tif 000011
【図１０】
2014083166.tif 000012
【図１１】
2014083166.tif 000013